(57)【要約】【課題】ほぼ同時に複数のコマについての画像データを取得することにより、ロールフィルムに記録された全てのコマについて、画像データの取得時間の短縮を図ったフィルムスキャナを提供する。【解決手段】フィルムスキャナ１のフィルム給送装置１１に形成された光学的開口部１１ａ　をロールフィルム４の２コマが位置できる大きさに形成し、画像読取部２０には、夫々のコマに対応させてこれらのコマの画像データを捕捉する画像センサー２３ａ　、２３ｂ　を配する。フィルム４を２コマずつ給送し、これらのコマについての画像データの取得を１本のロールフィルム４について繰り返す。フィルム４の給送速度を大きくできることによるフィルム４の給送時間と画像データの取得時間とを短縮でき、１本のロールフィルム４の処理時間を短くできる。【選択図】　　　　図１
2004045583.tif 000002
【特許請求の範囲】
【請求項１】
現像済みの写真フィルムを搬送手段によってコマ画像が並ぶ方向に搬送しながら、照明手段によって該コマ画像を順次照明し、画像読取手段によってその透過光に含まれる画像情報を読み取って、デジタル画像データを取得するフィルムスキャナにおいて、
前記画像読取手段を複数設け、該複数の画像読取手段に対応する位置の複数のコマを照明する照明手段を設けて、
前記搬送手段は、前記写真フィルム上の適宜な複数のコマを前記複数の画像読取手段に対応する位置まで給送し、前記照明手段によって複数のコマをほぼ同時に照明し、前記複数の画像読取手段によってほぼ同時に画像情報を読み取ることを特徴とするフィルムスキャナ。
【請求項２】
前記画像読取手段を隣接して連続する２以上のＮ個のコマに対応する位置のそれぞれに配設し、前記照明手段を、少なくとも前記隣接して連続するＮ個のコマをほぼ同時に照明するように構成することにより、画像読取手段で該Ｎ個のコマの画像情報をほぼ同時に読み取るとともに、搬送手段は、上記読取の後に、写真フィルムをＮコマ分給送して、読取位置に次のコマを位置決めすることを特徴とする請求項１に記載のフィルムスキャナ。
【請求項３】
前記画像読取手段を１コマおきの２以上のＮ個のコマに対応する位置のそれぞれに配設し、前記照明手段を、少なくとも前記１コマおきのＮ個のコマをほぼ同時に照明するように構成することにより、画像読取手段で該Ｎ個のコマの画像情報をほぼ同時に読み取るとともに、搬送手段は、上記読取の後に、いずれか１つの画像読取手段から見て、写真フィルムの送り方向上流側の隣のコマが未だ画像読取されていないコマの場合は１コマ分を、上記上流側の隣のコマが既に画像読取されたコマの場合は２Ｎ−１コマ分を、フィルム給送して、読取位置に次のコマを位置決めすることを特徴とする請求項１に記載のフィルムスキャナ。
【請求項４】
前記画像読取手段による画像データの読取範囲を、写真フィルム上の隣接するコマの端を同時に読取る範囲で重畳させたことを特徴とする請求項１ないし請求項３のいずれかに記載のフィルムスキャナ。
【発明の詳細な説明】
【０００１】
【発明の属する技術分野】
この発明は、ロールフィルムに記録された画像を極力短時間で読み取ることができるようにしたフィルムスキャナに関する。
【０００２】
【従来の技術】
撮影がなされて写真原画が記録されたフィルムの現像やプリント、あるいはコンパクトディスクなどの記録媒体への書込などの処理を行う写真現像／処理所いわゆるラボ（以下、「ラボ」という。）であって、特にロールフィルムの処理を行うラボにおいては、大量のフィルムの処理を行うため、処理時間を極力短くすることが望まれている。フィルムに対してのこの種の処理としては、ロールフィルムを給送装置と巻取装置との間で走行するように支持し、走行途中で光源から光を照射し、フィルムを透過した光をＣＣＤ（電荷結合素子）などの画像センサーで捕捉することにより画像データを取得する。この画像データを記録媒体へ書き込んだり、あるいは、この画像データを基にレーザスキャニングなどの手段で印画紙に露光する。このとき、画像データの取得は、ロールフィルムの各コマ毎について順次行うようにしてある。
【０００３】
この種のフィルムスキャナの処理時間の短縮化を図るものとして、特開平５−１９１７６６号公報に記載された画像データ記録システムや特開平６−１８９０９８号公報に記載された画像読取装置、特開平１０−　３２６８４号公報に記載されたフィルムスキャナなどがある。
【０００４】
特開平５−１９１１７６６号の画像データ記録システムは、第１の処理装置でフィルムスキャナに読取要求信号を送出して１コマ毎に画像データを読み取らせてその画像データを１コマ分蓄積し、この蓄積の終了により該１コマ分の画像データをバスを介して第２の処理装置に高速転送し、該第２の処理装置では受けたコマの画像データに所定の処理を施している間に、前記第１の処理装置が次のコマの画像をフィルムスキャナに読み取らせて蓄積し、第２の処理装置のデータ処理の終了により、再度画像データを転送することを繰り返す。すなわち、第１の処理装置にてスキャナからの画像データを１コマ毎に蓄積し、その間に第２の処理装置にて前回のデータ処理を並行して行うようにしたものである。そして、第２の処理装置は、所定のコマ数の画像データを処理すると、データ編集を行ったＣＤライタに転送してコンパクトディスクに記録させることになる。
【０００５】
また、特開平６−１８９０９８号の画像読取装置は、読み取った画データに対する圧縮処理までをローカルバスにて行う画像読取装置において、撮像装置にて光電変換された画データに対して画像処理を行うスキャナ装置と、該スキャナ装置にて処理された後の画データを一時蓄積するためのバッファ装置と、バッファ装置に蓄積された画データを圧縮するための圧縮装置と、該スキャナ装置に対する制御情報を該バッファ装置の一部のエリアにテーブルデータとして共存させ、該テーブルデータに基づいてスキャナ制御を行うスキャナ制御手段とを有する構成を備えたものである。
【０００６】
また、特開平１０−　３２６８４号のフィルムスキャナは、フィルムホルダに保持されているフィルムの画像を結像光学系により、リニアイメージセンサ上に投影し、画像を読み取る際、磁気情報検出手段により、フィルムに記録されている磁気情報を検出し、システムコントローラでフィルムの各コマの撮影モードを判定し、その撮影モードに応じて各コマの画像読取り範囲を設定し、この画像読取り範囲に応じて副走査モータを駆動し、画像読取り範囲外では画像読取り範囲内より高速で副走査モータを駆動するようにしてものである。
【０００７】
【発明が解決しようとする課題】
しかしながら、上述した従来のフィルムスキャナでは、画像の読み取りは１コマ毎に行われるが、その読み取り速度はＣＣＤの能力に依存することになり、処理速度を大きくすることに限界がある。このため、大量のフィルムの処理を行うラボにおいては、充分に処理時間の短縮が図られておらず、さらに処理時間を短縮することが要望されている。
【０００８】
そこで、この発明は、大規模な設備の増加を伴うことなく、ロールフィルムに形成された画像のデータを取得するに際して、該ロールフィルムに対する処理時間を極力短縮することができるフィルムスキャナを提供することを目的としている。
【０００９】
【課題を解決するための手段】
前記目的を達成するための技術的手段として、この発明に係るフィルムスキャナは、現像済みの写真フィルムを搬送手段によってコマ画像が並ぶ方向に搬送しながら、照明手段によって該コマ画像を順次照明し、画像読取手段によってその透過光に含まれる画像情報を読み取って、デジタル画像データを取得するフィルムスキャナにおいて、前記画像読取手段を複数設け、該複数の画像読取手段に対応する位置の複数のコマを照明する照明手段を設けて、前記搬送手段は、前記写真フィルム上の適宜な複数のコマを前記複数の画像読取手段に対応する位置まで給送し、前記照明手段によって複数のコマをほぼ同時に照明し、前記複数の画像読取手段によってほぼ同時に画像情報を読み取ることを特徴としている。
【００１０】
前記フィルム給送手段で適宜な複数のコマを前記画像読取手段に対応する位置まで適宜な速度で給送し、当該位置で前記画像読取手段によって対応するコマの画像データを取得する。これらのコマの画像データの取得が完了したならば、次のコマが画像読取手段に対応する位置までフィルムを給送する。したがって、一度に給送するフィルムの長さが、１コマずつを給送する場合よりも大きくなり、給送速度を大きくすることができる。しかも、ほぼ同時に複数のコマの画像データを取得するので、ロールフィルム全体について画像データを取得する時間が短縮される。したがって、１本のロールフィルムについての処理時間を短縮させることができる。
【００１１】
また、請求項２の発明に係るフィルムスキャナは、前記画像読取手段を隣接して連続する２以上のＮ個のコマに対応する位置のそれぞれに配設し、前記照明手段を、少なくとも前記隣接して連続するＮ個のコマをほぼ同時に照明するように構成することにより、画像読取手段で該Ｎ個のコマの画像情報をほぼ同時に読み取るとともに、搬送手段は、上記読取の後に、写真フィルムをＮコマ分給送して、読取位置に次のコマを位置決めすることを特徴としている。
【００１２】
Ｎ個のコマについて画像データの取得が完了したならば、フィルム給送手段はＮコマ分に相当する長さでロールフィルムを給送する。この場合、１コマ分の長さを給送する場合よりも大きい速度で給送でき、またほぼ同時にＮ個のコマについて画像情報を取得するので、１本のロールフィルムの処理時間を短縮することができる。
【００１３】
また、請求項３の発明に係るフィルムスキャナは、前記画像読取手段を１コマおきの２以上のＮ個のコマに対応する位置のそれぞれに配設し、前記照明手段を、少なくとも前記１コマおきのＮ個のコマをほぼ同時に照明するように構成することにより、画像読取手段で該Ｎ個のコマの画像情報をほぼ同時に読み取るとともに、搬送手段は、上記読取の後に、いずれか１つの画像読取手段から見て、写真フィルムの送り方向上流側の隣のコマが未だ画像読取されていないコマの場合は１コマ分を、上記上流側の隣のコマが既に画像読取されたコマの場合は２Ｎ−１コマ分を、フィルム給送して、読取位置に次のコマを位置決めすることを特徴としている。
【００１４】
ロールフィルム全体として、給送時間とデータ取得時間のいずれも短縮することができる。
【００１５】
また、請求項４の発明に係るフィルムスキャナは、前記画像読取手段による画像データの読取範囲を、写真フィルム上の隣接するコマの端を同時に読取る範囲で重畳させたことを特徴としている。
【００１６】
例えば、カメラのフィルム給送機構の構造などに起因して隣接するコマの間隔に広狭が生じた場合でも、コマの全域について確実に画像データを捕捉することができる。
【００１７】
【発明の実施の形態】
図１は、この発明に係るフィルムスキャナの概略の構造を示す斜視図であり、図２は概略の正面図を示している。このフィルムスキャナ１は、容易に移動させられるようにキャスター２ａが取り付けられた作業車２に搭載されている。作業車２の上部には作業テーブル３が設けられており、この作業テーブル３の左右の端部にロールフィルム４のフィルム供給装置５とフィルム巻取装置６とが取り付けられている。フィルム４はリール５ａに巻き取られた状態でフィルム供給装置５に提供され、リール５ａから引き出されて前記フィルム巻取装置６のリール６ａに巻き取られる。作業テーブル３の中央部であってフィルム４がフィルム供給装置５からフィルム巻取装置６へ至る経路の途中には、フィルム給送装置１１が設けられている。
【００１８】
前記フィルム給送装置１１は、前記フィルム供給装置５からフィルム巻取装置６へフィルム４を給送する。このフィルム給送装置１１の下方には、ハロゲンランプなどのランプ１２ａ　を備えた光源部１２が設けられている。この光源部１２と前記フィルム給送装置１１との間には、光源部１２から発せられた光を拡散して後述する光学的開口部へ導く拡散ボックス１３が設けられている。また、フィルム給送装置１１の上方には、画像読取部２０が配されている。
【００１９】
フィルム給送装置１１はその装置主体の中央部に光学的開口部１１ａ　が形成されており、この光学的開口部１１ａ　に画像データを取得すべき画像が形成されたコマが位置するようにしてある。すなわち、前記光源部１２からの光はこの光学的開口部１１ａ　を通過する。この光学的開口部１１ａ　を挟んで、フィルム供給装置５側には一対のフィルム送りローラ１１ｂ　が、フィルム巻取装置６側には一対のフィルム送りローラ１１ｃ　がそれぞれ設けられており、フィルム４はこれらローラ１１ｂ　、１１ｃ　のそれぞれに挟持されて給送される。そして、前記光学的開口部１１ａ　のフィルム４の給送方向の長さは隣接した２コマ分の長さよりも僅かに大きくしてある
【００２０】
前記ランプ１２ａ　の前方には減色法による光源フィルタ１２ｂ　が設けられて、フィルムがネガタイプかポジタイプかに応じて光源色が調整される。また、前記拡散ボックス１３の内壁面には反射鏡１３ａ　が貼着され、前記光学的開口部１１ａ　を臨んだ位置には拡散板１３ｂ　が設けられている。
【００２１】
前記画像読取部２０は、主として、反射鏡２１ａ　、２１ｂ　と結像レンズ２２ａ　、２２ｂ　、ＣＣＤ（電荷結合素子）からなる画像センサー２３ａ　、２３ｂ　とから構成されている。前記反射鏡２１ａ　、２１ｂ　は、鉛直方向から進入した光を互いに反対方向で水平方向に反射するようほぼ４５°の角度で設けられており、その反射光の光路に前記結像レンズ２２ａ　、２２ｂ　が配され、その結像位置に前記画像センサー２３ａ　、２３ｂ　が設けられている。このため、前記光源部１２のランプ１２ａ　で発せられた光は前記フィルム給送装置１１の光学的開口部１１ａ　を通過し、反射鏡２１ａ　、２１ｂ　で反射して画像センサー２３ａ　、２３ｂ　に入射するようにしてある。
【００２２】
前記作業テーブル３には、表示装置３１が設けられており、画像データを取得すべきコマの画像が表示されるようにしてある。また、作業テーブル３には制御装置３２が収納されており、操作用キーボード３３から入力される指令に基づいて画像データの読取条件などの制御が行われる。
【００２３】
以上により構成されたこの発明のフィルムスキャナに係る実施形態について、以下にその作用を説明する。
【００２４】
図３に示すように、フィルム４にコマＦ１　〜Ｆ４　の番号を附して説明する。前記フィルム給送装置１１によってフィルム４を給送し、コマＦ１　とコマＦ２　とを前記光学的開口部１１ａ　に位置させて停止させる。この状態で、前記ランプ１２ａ　を点灯させてコマＦ１　とコマＦ２　とを照明すると、コマＦ１　を透過した光は反射鏡２１ａ　で反射され、結像レンズ２２ａ　を透過して画像センサー２３ａ　に結像してコマＦ１　の画像データとして捕捉される。また、コマＦ２　を透過した光は反射鏡２１ｂ　で反射され、結像レンズ２２ｂ　を透過して画像センサー２３ｂ　に結像してコマＦ２　の画像データが捕捉される。
【００２５】
ロールフィルム４の停止位置は、画像センサー２３ａ　、２３ｂ　で各コマの端部を識別することで行うようにする。図１０に示すように、画像センサー２３ａ　、２３ｂ　がコマＦ１　の前側の端部Ｆ１ｆとコマＦ２　の後側の端部Ｆ２ｂを検出することにより、これら端部Ｆ１ｆ、Ｆ２ｂの中央が画像センサー２３ａ　と画像センサー２３ｂ　との中央と一致する位置でフィルム４の給送を停止する。前記端部Ｆ１ｆまたは端部Ｆ２ｂの一方または双方が検出されない場合には、コマＦ１　の端部Ｆ１ｂとコマＦ２　の端部Ｆ２ｆの一方または双方を検出し、該検出された端部Ｆ１ｂ、Ｆ２ｆから端部Ｆ１ｆ、Ｆ２ｂの位置を推定し、これらの位置から中央を推定して停止させるようにする。なお、前記端部Ｆ１ｆと端部Ｆ２ｂとの中央がコマＦ１　とコマＦ２　の分割部となる。
【００２６】
コマＦ１　とコマＦ２　の画像データが取得されたならば、フィルム４を２コマ分に相当する距離を移動させる。これにより、コマＦ３　とコマＦ４　とが前記光学的開口部１１ａ　に位置して、前述と同様に、これらコマＦ３　とコマＦ４　についての画像データが取得される。以後、同様に２コマ分に相当する距離の移動と画像データの取得の処理を繰り返して、フィルム４の全コマについて画像データを取得する。
【００２７】
図５は画像データを処理する処理装置の概略を説明するブロック図で、前記画像センサー２３ａ　で捕捉された画像データは、データ転送装置２４ａ　によって画像データ蓄積バッファ２５に転送される。また、画像センサー２３ｂ　で捕捉された画像データは、データ転送装置２４ｂ　によって画像データ蓄積バッファ２５に転送される。このとき、画像センサー２３ａ　と画像センサー２３ｂ　とで捕捉された画像データは、その順序で画像データ蓄積バッファ２５に転送されるようにする。すなわち、図４に示すように、最初の画像読み取り動作でコマＦ１　とコマＦ２　の画像データをそれぞれ画像センサー２３ａ　、２３ｂ　で捕捉し、この順序で画像データ蓄積バッファ２５に転送する。フィルム４を給送して、コマＦ３　とコマＦ４　の画像データを、それぞれ画像センサー２３ａ　、２３ｂ　で捕捉して、この順序で画像データ蓄積バッファ２５に転送する。この動作をロールフィルム４の全コマについて繰り返せば、コマＦ１　、コマＦ２　、…、コマＦｎ　のように、該フィルム４に記録された順序で画像データ蓄積バッファ２５に記憶される。そして、画像データ蓄積バッファ２５に蓄積されて記憶された画像データを読み出して、プリントや記憶媒体への記録等、所定の処理を行えばよい。
【００２８】
画像データを画像データ蓄積バッファ２５に転送するに先立って、捕捉された画像を前記表示装置３１に表示させ、その画像を確認しながら、所望の画像となるよう、前記操作用キーボード３３のキー操作によって前記制御装置３２へ指令する。この指令を受けて、制御装置３２はＣＣＤの画像センサー２３ａ　、２３ｂ　の画像読取条件を調整する。フィルターの濃度やランプ１２ａ　の光度を調整する。なお、画像データを取得するコマの順序を変更することもできる。
【００２９】
図６はこの発明に係るフィルムスキャナと従来のフィルムスキャナとで、２つのコマの画像データを取得するのに要する処理を比較する搬送スピードと時間との関係を示す図で、図６（ａ）に本願発明のものを、図６（ｂ）に従来のものをそれぞれ示してある。
【００３０】
従来のフィルムスキャナでは、１コマ目をフィルム給送装置１１で給送して前記光学的開口部１１ａ　に位置させ、画像の読み取りを行い、２コマ目を搬送して前記光学的開口部１１ａ　に位置させて画像の読み取りを行う。フィルム４を給送する場合には、給送速度は徐々に大きくなって一定速度となった状態で所定時間を移動させ、停止させる際には徐々に減速される。また、フィルム４が停止してから振動等が消滅して安定するまでの時間ｔが必要となる。この給送開始から完全に停止するまでの時間をＴ１　とし、画像データの捕捉に要する時間をＤとする。したがって、２コマの画像データを取得するための時間としては、２×（Ｔ１　＋Ｄ）が必要となる。なお、このときの給送速度をＶ１　とする。
【００３１】
他方、本願発明に係るフィルムスキャナで、フィルム４を２コマ分で給送する場合の給送開始か完全停止までの時間をＴ０　とする。なお、フィルム４の停止から完全に停止して安定するまでの時間ｔは同様であり、画像データの捕捉時間Ｄも同様である。したがって、２コマの画像データを取得するための時間としては、（Ｔ０　＋Ｄ）となる。なお、このときの給送速度をＶ０　とする。
【００３２】
本願発明のフィルムスキャナと従来のフィルムスキャナとを比較すると、いずれもフィルム４の給送速度Ｖは等しい（Ｖ１　＝Ｖ０　）とした場合、２コマ分の画像データの捕捉が完了するまでに、それぞれ２×（Ｔ１　＋Ｄ）と（Ｔ０　＋Ｄ）の時間を要する。これらの時間を比較すると、１コマずつ画像データを捕捉する場合には速度Ｖまで増速させ、速度０まで減速させる動作が２回ずつ含まれているのに対して、２コマについての画像データをほぼ同時に捕捉する場合には１回ずつである。また、フィルム４の停止から完全停止して安定するまでの時間ｔも同様に、２回と１回である。さらに、画像読み取りに要する回数も１コマずつの場合には２回行われるのに対して、２コマずつの場合には１回行われるだけである。したがって、１本のロールフィルム４を処理するのに要する時間は、本願発明に係るフィルムスキャナの方が、従来のフィルムスキャナに比べて短時間でよい。このため、いわゆるラボにおける処理量を増加させることができる。
【００３３】
他方、給送速度Ｖ１　とＶ０　とを比較すると、２コマ分の距離を給送する場合の方が大きな給送速度にできるので、Ｖ０　＞Ｖ１　となる。したがって、２コマ分の距離を給送する時間を比較すると、１コマを各別に２コマ分給送させる場合よりも、１度に２コマを給送させる場合の方が短い時間でよい。したがって、１本のロールフィルム４の処理時間をさらに短縮することができる。
【００３４】
図７ないし図９はこのフィルムスキャナ１で画像データを捕捉する範囲を説明する図で、画像センサー２３ａ　の捕捉範囲Ｐａ　の一部と画像センサー２３ｂ　の捕捉範囲Ｐｂ　の一部とが重畳するようにしてある。例えば、ロールフィルム４に露光を付与するカメラのフィルム給送が機械構造上一定とならず、図８及び図９に示すように、隣接するコマの間の部分に広狭が生じる場合がある。図８はコマの間の部分が狭い状態を、図９は広い状態を示している。斯かる場合に、画像センサー２３ａ　、２３ｂ　でコマの範囲と等しい範囲のみを捕捉範囲とした場合には、コマの一部の画像データが捕捉されないおそれが生じる。このため、図７に示すように、捕捉範囲Ｐａ　の一部と捕捉範囲Ｐｂ　の一部とを重畳させてある。これにより各コマは全範囲の画像データが捕捉される。
【００３５】
図１１及び図１２に他の実施形態について示してある。この実施形態では隣り合わない２つのコマについて画像データを取得するようにしたものである。すなわち、１つのコマに隣接する両側のコマについて画像データを取得するようにしたものである。光源部１２からの光は、図１１に示すように、コマＦ１　とコマＦ３　を透過し、結像レンズ２２ｃ　、２２ｄ　を透過して、画像センサー２３ｃ　、２３ｄ　に結像して画像データが捕捉されるようにしてある。なお、この実施形態では、画像センサー２３ｃ　、２３ｄ　を離隔して配することができるので、コマを透過した光を結像レンズ２２ｃ　、２２ｄ　に直接入射させられるので、反射鏡を備えなくてもく、部品点数が減じられて、装置を簡略化することができる。
【００３６】
図１２に示すように、この実施形態では、１コマ給送と３コマ給送とが交互に行われる。すなわち、最初の読み取り動作では、画像センサー２３ｃ　によりコマＦ１　についての画像データが、画像センサー２３ｄ　によりコマＦ３　についての画像データがそれぞれ捕捉される。次にフィルム給送装置１１で１コマ分を給送し、コマＦ２　とコマＦ４　についての画像データが、それぞれ画像センサー２３ｃ　、２３ｄ　で捕捉される。次いで、フィルム給送装置１１で３コマ分を給送し、画像センサー２３ｃ　でコマＦ５　についての画像データ、画像センサー２３ｄ　でコマＦ７　についての画像データがそれぞれ捕捉される。次に、１コマ分を給送してコマＦ６　とコマＦ８　のそれぞれについての画像データが、次いで３コマ分を給送してコマＦ９　とコマＦ１１のそれぞれについての画像データがそれぞれ捕捉されることになる。このコマの給送と画像データの捕捉とを繰り返し、捕捉された画像データは前述のデータ転送装置２４ａ　、２４ｂ　から画像データ蓄積バッファ２５に転送されて蓄積されて記憶される。これにより、１本のロールフィルム４についての画像データの取得が完了する。
【００３７】
図１〜図５に示した実施形態では、光源部１２のランプ１２ａ　は隣接するコマの画像を照明するため、単一のランプ１２ａ　を用いることができるが、図１１及び図１２に示した実施形態では、画像データを捕捉するコマのそれぞれに対応した位置に各別にランプを設けることが望ましい。なお、図１〜図５に示した実施形態であっても、画像データを捕捉するそれぞれのコマに対応させて各別にランプを設けたものであっても構わない。
【００３８】
以上に説明した実施形態では、２つのコマの画像データをほぼ同時に捕捉する構造について説明したが、２つのコマに限らず、さらに多くして、Ｎ個のコマについての画像データをほぼ同時に捕捉するようにすることもできる。しかも、連続して隣接するＮ個であっても、隣接していないＮ個であっても構わない。
【００３９】
また、以上の実施形態では、面に対して画像情報を取得する面読み取りのフィルムスキャナとして説明したが、フィルムを給送しながら順次線に沿って画像情報を取得する線読み取りのフィルムスキャナであっても構わない。
【００４０】
【発明の効果】
以上説明したように、請求項１の発明に係るフィルムスキャナによれば、ほぼ同時に複数個のコマについての画像データを取得するから、１コマずつの画像データを取得する場合に比べて、１本のロールフィルムの全てのコマについての画像データを短時間で取得することができる。したがって、ラボなどにおいて大量のフィルムを効率よく処理することができる。
【００４１】
また、請求項２の発明に係るフィルムスキャナによれば、連続して隣接した複数個のコマについての画像データをほぼ同時に取得するようにしたので、１本のロールフィルムについて画像データを取得するために時間は、１コマずつについての画像データを取得するものに比べて短くなる。しかも、次のコマの画像データを取得するためのフィルムの給送は連続した複数のコマ分の長さとなるから、１コマずつを給送する場合に比べて給送距離が大きくなり、給送速度を大きくすることができる。したがって、１本のロールフィルムの処理時間を短縮することができる。
【００４２】
また、請求項３の発明に係るフィルムスキャナによれば、ほぼ同時に複数個のコマについての画像データを取得できるので、１コマずつについての画像データを取得する場合に比べてロールフィルムの全てのコマについての画像データを短時間で取得することができる。
【００４３】
また、請求項４の発明に係るフィルムスキャナによれば、例えば、カメラの機構上の誤差などからコマの間の幅に広狭が生じている場合でも、全てのコマについての画像データを確実に取得することができる。
【図面の簡単な説明】
【図１】この発明に係るフィルムスキャナの概略の構造を説明する斜視図である。
【図２】図１に示すフィルムスキャナの正面図である。
【図３】図１に示すフィルムスキャナの要部の概略構造を示す斜視図である。
【図４】この発明に係るフィルムスキャナによって画像データを読み取る手順を示す図表である。
【図５】この発明に係るフィルムスキャナによって読み取られた画像データの処理装置の概略を示すブロック図である。
【図６】この発明に係るフィルムスキャナの処理速度と従来のフィルムスキャナの処理速度の相違を説明する図で、（ａ）は本願発明に係るものを、（ｂ）は従来のものをそれぞれ示している。
【図７】この発明に係るフィルムスキャナで隣接する２つのコマについての画像データを同時に捕捉する場合に、それぞれの捕捉範囲を示す図である。
【図８】画像が記録されたコマの状態を示す図で、コマの間隔が狭い場合を示している。
【図９】画像が記録されたコマの状態を示す図で、コマの間隔が広い場合を示している。
【図１０】隣接する２つのコマについての画像データを取得するのに際して、フィルムの停止位置を認識するためのコマの検出位置を説明する図である。
【図１１】この発明に係るフィルムスキャナの他の実施形態を説明する概略の構造図で、図３に相当する図である。
【図１２】図１１に示す実施形態に係るフィルムスキャナによって画像データを読み取る手順を示す図表で、図４に相当する図である。
【符号の説明】
１　フィルムスキャナ
４　ロールフィルム
５　フィルム供給装置
６　フィルム巻取装置
１１　フィルム給送装置
１１ａ　開口部
１１ｂ　フィルム送りローラ
１１ｃ　フィルム送りローラ
１２　光源部
１２ａ　ランプ
２０　画像読取部
２１ａ　反射鏡
２１ｂ　反射鏡
２２ａ　結像レンズ
２２ｂ　結像レンズ
２２ｃ　結像レンズ
２２ｄ　結像レンズ
２３ａ　画像センサー
２３ｂ　画像センサー
２３ｃ　画像センサー
２３ｄ　画像センサー
２４ａ　データ転送装置
２４ｂ　データ転送装置
２５　画像データ蓄積バッファ
３１　表示装置
３２　制御装置
３３　操作用キーボード
【図１】
2004045583.tif 000003
【図２】
2004045583.tif 000004
【図３】
2004045583.tif 000005
【図４】
2004045583.tif 000006
【図５】
2004045583.tif 000007
【図６】
2004045583.tif 000008
【図７】
2004045583.tif 000009
【図８】
2004045583.tif 000010
【図９】
2004045583.tif 000011
【図１０】
2004045583.tif 000012
【図１１】
2004045583.tif 000013
【図１２】
2004045583.tif 000014